(57)【要約】【課題】重ねられた風呂蓋が剥がしやすく乾燥しやすい浴槽を提供することを目的とする。【解決手段】水を貯留可能な浴槽本体であって、前記浴槽本体の上縁を形成するリムと、前記リムに囲まれた開口部と、を有する浴槽本体と、第１突合せ端部と、前記第１突合せ端部とは反対側の第１外側端部と、を有する第１の風呂蓋と、第２突合せ端部と、前記第２突合せ端部とは反対側の第２外側端部と、を有する第２の風呂蓋と、を備え、前記第１の風呂蓋及び第２の風呂蓋は、前記第１突合せ端部と前記第２突合せ端部とが突き合わされた状態で前記浴槽本体のリムに載置されることで、前記浴槽本体の開口部を覆い、前記第１の風呂蓋の前記第１突合せ端部から前記第１外側端部までの曲率は、前記第２の風呂蓋の前記第２突合せ端部から前記第２外側端部までの曲率と異なることを特徴とする浴槽が提供される。【選択図】図７
2019111080.tif 000002
【特許請求の範囲】
【請求項１】
水を貯留可能な浴槽本体であって、前記浴槽本体の上縁を形成するリムと、前記リムに囲まれた開口部と、を有する浴槽本体と、
第１突合せ端部と、前記第１突合せ端部とは反対側の第１外側端部と、を有する第１の風呂蓋と、
第２突合せ端部と、前記第２突合せ端部とは反対側の第２外側端部と、を有する第２の風呂蓋と、
を備え、
前記第１の風呂蓋及び第２の風呂蓋は、前記第１突合せ端部と前記第２突合せ端部とが突き合わされた状態で前記浴槽本体のリムに載置されることで、前記浴槽本体の開口部を覆い、
前記第１の風呂蓋の前記第１突合せ端部から前記第１外側端部までの曲率は、前記第２の風呂蓋の前記第２突合せ端部から前記第２外側端部までの曲率と異なることを特徴とする浴槽。
【請求項２】
前記第１の風呂蓋は、前記第１突合せ端部から前記第１外側端部へ向かう方向に対して平行な断面において、直線状に延びる第１ストレート部を有することを特徴とする請求項１記載の浴槽。
【請求項３】
前記第１の風呂蓋は、前記第１突合せ端部から前記第１外側端部へ向かう方向に対して平行な前記断面において、ほぼ湾曲しておらず、
前記第２の風呂蓋は、前記第２突合せ端部から前記第２外側端部へ向かう方向に対して平行な断面において、直線状に延びる第２ストレート部と、湾曲した湾曲部と、を有することを特徴とする請求項２記載の浴槽。
【請求項４】
前記第２の風呂蓋の、前記第２突合せ端部から前記第２外側端部へ向かう方向における少なくとも中央は、前記湾曲部であることを特徴とする請求項３記載の浴槽。
【請求項５】
前記第１の風呂蓋は、前記第１突合せ端部から前記第１外側端部へ向かう前記方向に対して平行な前記断面において、湾曲した湾曲部をさらに有することを特徴とする請求項２記載の浴槽。
【請求項６】
前記第２の風呂蓋の、前記第２突合せ端部から前記第２外側端部へ向かう方向における少なくとも中央は、湾曲しており、
前記第１の風呂蓋の、前記第１突合せ端部から前記第１外側端部へ向かう方向における少なくとも中央は、前記第１ストレート部であることを特徴とする請求項５記載の浴槽。
【発明の詳細な説明】
【技術分野】
【０００１】
本発明の態様は、一般的に、浴槽に関する。
【背景技術】
【０００２】
浴槽本体と、複数枚の板状の風呂蓋と、を有する浴槽が知られている。浴槽本体は、その上縁部を形成するリムと、リムに囲まれた開口部と、を有し、内部に湯水を貯留可能に構成されている。複数の風呂蓋は、浴槽本体のリム上に並べて載置されることで、浴槽本体の開口部を隙間なく覆うことができる。例えば、特許文献１には、互いに同じ曲率で湾曲した２枚の板状の風呂蓋が記載されている。
【０００３】
このような複数の風呂蓋は、一般的に重ねて収納される。例えば、２枚の風呂蓋を重ねると、各風呂蓋の端部同士が風呂蓋の外周全体にわたって密着したり、各風呂蓋の表面同士が密着したりする。
【先行技術文献】
【特許文献】
【０００４】
【特許文献１】特開２０１３−２４８０８０号公報
【発明の概要】
【発明が解決しようとする課題】
【０００５】
使用後の風呂蓋の表面は濡れている。そのため、使用後に複数の風呂蓋が重ねられ、各風呂蓋の端部同士が風呂蓋の全周にわたって密着したり、各風呂蓋の表面同士が密着したりすると、一方の風呂蓋を他方の風呂蓋から剥がしにくくなる場合がある。また、端部同士又は表面同士が密着することにより、濡れた風呂蓋が乾燥しにくくなり、黴が発生しやすくなる恐れがある。
【０００６】
本発明は、かかる課題の認識に基づいてなされたものであり、重ねられた風呂蓋が剥がしやすく乾燥しやすい浴槽を提供することを目的とする。
【課題を解決するための手段】
【０００７】
第１の発明は、水を貯留可能な浴槽本体であって、前記浴槽本体の上縁を形成するリムと、前記リムに囲まれた開口部と、を有する浴槽本体と、第１突合せ端部と、前記第１突合せ端部とは反対側の第１外側端部と、を有する第１の風呂蓋と、第２突合せ端部と、前記第２突合せ端部とは反対側の第２外側端部と、を有する第２の風呂蓋と、を備え、前記第１の風呂蓋及び第２の風呂蓋は、前記第１突合せ端部と前記第２突合せ端部とが突き合わされた状態で前記浴槽本体のリムに載置されることで、前記浴槽本体の開口部を覆い、前記第１の風呂蓋の前記第１突合せ端部から前記第１外側端部までの曲率は、前記第２の風呂蓋の前記第２突合せ端部から前記第２外側端部までの曲率と異なることを特徴とする浴槽である。
【０００８】
この浴槽によれば、第１の風呂蓋と第２の風呂蓋とを重ねた場合に、第１の風呂蓋の端部が、第１の風呂蓋の外周全体にわたって第２の風呂蓋の端部と密着したり、第１の風呂蓋の表面が、第２の風呂蓋の表面と密着したりすることを抑制できる。したがって、重ねられた第１の風呂蓋と第２の風呂蓋とを剥がしやすい。また、第１の風呂蓋と第２の風呂蓋との間に隙間が生じるため、各風呂蓋が乾燥しやすく、黴の発生等を抑制することができる。
【０００９】
第２の発明は、第１の発明において、前記第１の風呂蓋は、前記第１突合せ端部から前記第１外側端部へ向かう方向に対して平行な断面において、直線状に延びる第１ストレート部を有することを特徴とする浴槽である。
【００１０】
この浴槽によれば、第１の風呂蓋と第２の風呂蓋とを重ねた場合に、第１の風呂蓋と第２の風呂蓋とが密着する部分を小さくし、風呂蓋間の距離を確保しやすい。したがって、各風呂蓋をより乾燥しやすくすることができる。
【００１１】
第３の発明は、第２の発明において、前記第１の風呂蓋は、前記第１突合せ端部から前記第１外側端部へ向かう方向に対して平行な前記断面において、ほぼ湾曲しておらず、前記第２の風呂蓋は、前記第２突合せ端部から前記第２外側端部へ向かう方向に対して平行な断面において、直線状に延びる第２ストレート部と、湾曲した湾曲部と、を有することを特徴とする浴槽である。
なお、本発明における「ほぼ湾曲しておらず」とは、第１の風呂蓋の９０パーセント以上が湾曲していない領域となっていることである。
【００１２】
この浴槽によれば、第１、２外側端部を揃えるように風呂蓋を重ねた場合に、第１、２突合せ端部側の風呂蓋間の距離を短くすることができる。これにより、風呂蓋間の距離を確保し各風呂蓋をより乾燥しやすくすることができつつも、風呂蓋を重ねて収納し易くすることができる。
【００１３】
第４の発明は、第３の発明において、前記第２の風呂蓋の、前記第２突合せ端部から前記第２外側端部へ向かう方向における少なくとも中央は、前記湾曲部であることを特徴とする浴槽である。
【００１４】
この浴槽によれば、第１の風呂蓋と第２の風呂蓋とを重ねた場合に、第１の風呂蓋と第２の風呂蓋との接触部分を小さくし、第１の風呂蓋と第２の風呂蓋とが密着することをより確実に抑制することができる。したがって、風呂蓋を重ねて収納し易くすることができつつも、各風呂蓋をより乾燥しやすくすることができる。
【００１５】
第５の発明は、第２の発明において、前記第１の風呂蓋は、前記第１突合せ端部から前記第１外側端部へ向かう前記方向に対して平行な前記断面において、湾曲した湾曲部をさらに有することを特徴とする浴槽である。
【００１６】
この浴槽によれば、第１、２外側端部を揃えるように風呂蓋を重ねた場合に、第１，２突合せ端部側の風呂蓋間の距離を短くすることができる。これにより、風呂蓋間の距離を確保し各風呂蓋をより乾燥しやすくすることができつつも、風呂蓋を重ねて収納し易くすることができる。
【００１７】
第６の発明は、第５の発明において、前記第２の風呂蓋の、前記第２突合せ端部から前記第２外側端部へ向かう方向における少なくとも中央は、湾曲しており、前記第１の風呂蓋の、前記第１突合せ端部から前記第１外側端部へ向かう方向における少なくとも中央は、前記第１ストレート部であることを特徴とする浴槽である。
【００１８】
この浴槽によれば、第１の風呂蓋と第２の風呂蓋とを重ねた場合に、第１の風呂蓋と第２の風呂蓋との接触部分を小さくし、第１の風呂蓋と第２の風呂蓋とが密着することをより確実に抑制することができる。したがって、風呂蓋を重ねて収納し易くすることができつつも、各風呂蓋をより乾燥しやすくすることができる。
【発明の効果】
【００１９】
本発明の態様によれば、重ねられた風呂蓋が剥がしやすく乾燥しやすい浴槽が提供される。
【図面の簡単な説明】
【００２０】
【図１】実施形態に係る浴槽を例示する断面図である。
【図２】実施形態に係る浴槽本体を例示する斜視図である。
【図３】実施形態に係る浴槽本体を例示する平面図である。
【図４】実施形態に係る浴槽を例示する平面図である。
【図５】実施形態に係る風呂蓋の収納状態を例示する平面図である。
【図６】実施形態に係る風呂蓋の収納状態を例示する側面図である。
【図７】実施形態に係る別の風呂蓋の収納状態を例示する側面図である。
【図８】実施形態に係る別の浴槽を例示する断面図である。
【図９】実施形態に係る風呂蓋の収納状態を例示する側面図である。
【図１０】図１０（ａ）〜図１０（ｄ）は、実施形態に係る風呂蓋を例示する側面図である。
【図１１】実施形態に係る別の浴槽を例示する断面図である。
【図１２】実施形態に係る風呂蓋の収納状態を例示する側面図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、実施形態に係る浴槽を例示する断面図である。  
図１に示すように、実施形態に係る浴槽１００は、浴槽本体１０と、複数の風呂蓋（第１の風呂蓋２１と、第２の風呂蓋２２）と、を有する。  
まず、図２及び図３を参照して、浴槽本体１０の一例について説明する。
【００２２】
図２は、実施形態に係る浴槽本体を例示する斜視図である。  
図３は、実施形態に係る浴槽本体を例示する平面図である。  
浴槽本体１０は、底面部１１と、側壁部１２と、リム１３と、開口部１４と、を有する。側壁部１２は、底面部１１の外縁を囲み、底面部１１から上方に向かって延びる。リム１３は、側壁部１２の上端に位置し、浴槽本体１０の上縁を形成する。リム１３は、側壁部１２の全周にわたって外側へ略水平方向に突き出るように設けられた延出部１３ｐ（フランジ）を有する。開口部１４は、リム１３に囲まれており、浴槽本体１０の内部（底面部１１と側壁１２とで構成された凹状の部分）と連通する。浴槽本体１０は、内部に湯水を貯留可能であり、浴槽本体１０内で入浴を行うことができる。
【００２３】
例えば、浴槽本体１０は、平面視において略長方形状である。側壁部１２の内面は、互いに向き合う後側面１２ａ及び前側面１２ｂを有する。後側面１２ａと前側面１２ｂとは、浴槽本体１０の長手方向において並んでいる。入浴者は、例えば後側面１２ａに背を向けた状態で入浴を行う。
【００２４】
ここで、本願明細書においては、後側面１２ａから前側面１２ｂへ向かう方向を「前方」としている。言い換えれば、後側面１２ａに背を向けて浴槽本体１０内で入浴する入浴者から見て前方を「前方」とする。また、後側面１２ａに背を向けて浴槽本体１０内で入浴する入浴者からみて上方を「上方」とし、下方を「下方」とし、後方を「後方」とし、右側を「右側方」とし、左側を「左側方」とする。
【００２５】
側壁部１２の内面は、右側に位置する右側面１２ｃと、左側に位置する左側面１２ｄと、を有する。右側面１２ｃ及び左側面１２ｄは、それぞれ、後側面１２ａから前側面１２ｂまで連続する。
【００２６】
リム１３は、浴槽本体１０の後方側に設けられた第１隆起部１３ａと、右側方に設けられた第２隆起部１３ｂと、左側方に設けられた第３隆起部１３ｃと、を有する。これら第１〜第３隆起部は、リム１３の延出部１３ｐより上方に盛り上がった（又は上方に突出した）形状を有する。第２隆起部１３ｂは、右側面１２ｃの上方において、浴槽の前後方向における中央付近から後方にかけて設けられている。第２隆起部１３ｂの高さは、後方へ向かって高くなる。また、第３隆起部１３ｃは、左側面１２ｄの上方において、浴槽の前後方向における中央付近から後方にかけて設けられている。第３隆起部１３ｃの高さは、後方へ向かって高くなる。例えば、第２隆起部１３ｂの高さと、第３隆起部１３ｃの高さは同じである。第１隆起部１３ａは、第２隆起部１３ｂの後端と、第３隆起部１３ｃの後端と、を接続し、左右方向に延在する。したがって、第１隆起部１３ａが、リム１３のうちの最上端である。第１隆起部１３ａの高さは、例えば、左右方向において一定である。
【００２７】
後側面１２ａと第１隆起部１３ａとの間には、棚状部１３ｄが設けられている。例えば、棚状部１３ｄに枕（不図示）を載置することができる。入浴者は、枕に後頭部を載置することで、入浴中にリラックスすることができる。また、側壁部１２の内面にも、入浴者が腕や足などを載置可能な棚状の段差が、適宜設けられてもよい。
【００２８】
次に、第１の風呂蓋２１及び第２の風呂蓋２２の一例について説明する。  
図４は、実施形態に係る浴槽を例示する平面図である。  
図４は、図１に示した浴槽１００を上方から見た状態である。図１は、図４に示すＡ−Ａ線における断面図である。すなわち、図１は、浴槽本体１０の左右方向における中央を通り、浴槽本体１０の長手方向に平行な鉛直断面を示す。
【００２９】
第１の風呂蓋２１及び第２の風呂蓋２２は、リム１３上において、前後方向に並べて載置される。第１の風呂蓋２１及び第２の風呂蓋２２は、それぞれ、厚さが略一定の１枚の板状である。第１の風呂蓋２１及び第２の風呂蓋２２には、例えば、発泡ポリプロピレン（ＥＰＰ）などが用いられる。図１に示すように、第１の風呂蓋２１は、リム１３に載置された状態において上方を向く上面２１Ｕ（主面）と下方を向く下面２１Ｌ（主面）を有する。同様に、第２の風呂蓋２２は、リム１３に載置された状態において上方を向く上面２２Ｕ（主面）と下方を向く下面２２Ｌ（下面）とを有する。上面２１Ｕと上面２２Ｕとは段差なく突き合わされている。
【００３０】
第１の風呂蓋２１は、第１突合せ端部２１ａと、第１外側端部２１ｂと、を有する。第１外側端部２１ｂは、第１の風呂蓋２１の中心からみて、第１突合せ端部２１ａとは反対側に位置する。図１及び図４の状態において、第１突合せ端部２１ａは、第１の風呂蓋２１の後方の端部（辺）であり、第１外側端部２１ｂは、第１の風呂蓋２１の前方の端部（辺）である。
【００３１】
同様に、第２の風呂蓋２２は、第２突合せ端部２２ａと、第２外側端部２２ｂと、を有する。第２外側端部２２ｂは、第２の風呂蓋２２の中心からみて、第２突合せ端部２２ａとは反対側に位置する。図１及び図４の状態において、第２突合せ端部２２ａは、第２の風呂蓋２２の前方の端部（辺）であり、第２外側端部２２ｂは、第２の風呂蓋２２の後方の端部（辺）である。
【００３２】
図１及び図４に示すように、第１の風呂蓋２１及び第２の風呂蓋２２は、第１突合せ端部２１ａと第２突合せ端部２２ａとが突き合わされた状態で浴槽本体１０のリム１３に載置されることで、浴槽本体１０の開口部１４を覆う。
【００３３】
より具体的には、第２の風呂蓋２２の第２外側端部２２ｂは、リム１３の第１隆起部１３ａに載置される。第２の風呂蓋２２の右側端部２２ｃ（図４参照）は、リム１３の第２隆起部１３ｂに載置される。第２の風呂蓋２２の左側端部２２ｄ（図４参照）は、リム１３の第３隆起部１３ｃに載置される。また、第１の風呂蓋２１の第１外側端部２１ｂは、リム１３の延出部１３ｐうち、浴槽本体１０の前側面１２ｂの上方に位置する部分に載置される。第１の風呂蓋２１の右側端部２１ｃ（図４参照）は、リム１３の延出部１３ｐのうち、第２隆起部１３ｂの前方に位置する部分に載置される。第１の風呂蓋２１の左側端部２１ｄ（図４参照）は、リム１３の延出部１３ｐのうち、第３隆起部１３ｃの前方に位置する部分に載置される。
【００３４】
第２、３隆起部１３ｂ、１３ｃは、第１、２突合せ端部２１ａ、２２ａよりも前方まで延びていてもよいし、後方までであってもよい。言い換えれば、第１の風呂蓋２１の後方側が、第２、３隆起部１３ｂ、１３ｃの一部に載置されてもよい。また、第２の風呂蓋２２の前方側が、第２、３隆起部１３ｂ、１３ｃの前方に位置する延出部１３ｐの一部に載置されてもよい。
【００３５】
リム１３の延出部１３ｐ及び第１〜第３隆起部１３ａ〜１３ｃの形状は、第１の風呂蓋２１及び第２の風呂蓋２２の形状（平面形状、及び断面における曲率など）と対応している。これにより、第１の風呂蓋２１及び第２の風呂蓋２２は、例えば、開口部１４の全体を隙間なく覆い、浴槽本体１０を密閉可能である。なお、隙間なくという範囲は、製造ばらつき等によって、僅かな隙間（例えば３ｍｍ以下）が生じる場合を含む。
【００３６】
図１に示すように、実施形態においては、第１の風呂蓋２１の第１突合せ端部２１ａから第１外側端部２１ｂまでの曲率は、第２の風呂蓋２２の第２突合せ端部２２ａから第２外側端部２２ｂまでの曲率と異なる。
【００３７】
なお、第１の風呂蓋２１に関して、曲率とは、例えば図１のように、第１突合せ端部２１ａから第１外側端部２１ｂへ向かう方向に対して平行な断面における曲率をいう。また、第１の風呂蓋２１に関する曲率は、当該断面における上面２１Ｕ（又は下面２１Ｌ）の断面形状の曲率に相当する。同様に、第２の風呂蓋２２に関して、曲率とは、例えば図１のように、第２突合せ端部２２ａから第２外側端部２２ｂへ向かう方向に対して平行な断面における曲率をいう。また、第２の風呂蓋２２に関する曲率は、当該断面における上面２２Ｕ（又は下面２２Ｌ）の断面形状の曲率に相当する。
【００３８】
第１の風呂蓋２１の曲率が、第２の風呂蓋２２の曲率と異なるという範囲は、第１の風呂蓋２１及び第２の風呂蓋２２の両方が湾曲している場合だけでなく、一方の曲率がゼロである場合も含むものとする。
【００３９】
第１の風呂蓋２１（上面２１Ｕ）の第１突合せ端部２１ａから第１外側端部２１ｂまでの断面形状は、１つの円弧又は直線で構成されてもよいし、２つ以上の円弧または２つ以上の直線で構成されてもよいし、１つ以上の円弧と１つ以上の直線との組み合わせで構成されてもよい。第１突合せ端部２１ａから第１外側端部２１ｂまでの断面形状が、１つの円弧又は１つの直線でない場合には、その断面形状を１つの円弧で近似した近似曲線の曲率を、第１突合せ端部２１ａから第１外側端部２１ｂまでの曲率とする。第２の風呂蓋２２に関しても同様である。
【００４０】
第１の風呂蓋２１は、図１に示す断面（第１突合せ端部２１ａから第１外側端部２１ｂへ向かう方向に対して平行な断面）において、直線状に延びる第１ストレート部２１ｓを有する。この例では、第１の風呂蓋２１は、第１ストレート部２１ｓからなり、ほぼ湾曲していない。すなわち、第１の風呂蓋２１の第１突合せ端部２１ａから第１外側端部２１ｂまでの曲率は、例えばゼロである。なお、本発明において、「直線状」は、曲率がゼロのもののみならず、製造誤差等を考慮して微細な湾曲がなされていてもよい。また、本発明において、「直線状」は、表面に凹凸が形成されていても良い。「ほぼ湾曲しておらず」とは、第１の風呂蓋の断面形状の９０パーセント以上が湾曲していない領域となっていることである。
【００４１】
第２の風呂蓋２２は、図１に示す断面（第２突合せ端部２２ａから第２外側端部２２ｂへ向かう方向に対して平行な断面）において、湾曲した湾曲部２２ｗを有する。湾曲部２２ｗの断面形状（湾曲部２２ｗの上面の断面形状）は、１つの円弧で構成されている。この例では、第２の風呂蓋２２は、下方に凸の湾曲部２２ｗからなり、ストレート部等を有していない。すなわち、第２の風呂蓋２２の第２突合せ端部２２ａから第２外側端部２２ｂまでの曲率は、湾曲部２２ｗの曲率である。
【００４２】
また、第１の風呂蓋２１及び第２の風呂蓋２２がリム１３に載置された状態において、第１の風呂蓋２１の前後方向（浴槽本体１０の長手方向）に沿った長さＬ２１は、第２の風呂蓋２２の前後方向に沿った長さＬ２２と等しいことが望ましい。ただし、長さＬ２１は、製造ばらつき等の範囲で、長さＬ２２と異なってもよい。例えば、長さＬ２１と長さＬ２２との差は、０ｍｍ以上１０ｍｍ以下である。
【００４３】
なお、第１の風呂蓋２１及び第２の風呂蓋２２は、左右方向（浴槽本体１０の短手方向）においては湾曲していない。すなわち、左右方向に平行な鉛直断面において、各風呂蓋の断面形状はストレートである。
【００４４】
図５は、実施形態に係る風呂蓋の収納状態を例示する平面図である。  
図６は、実施形態に係る風呂蓋の収納状態を例示する側面図である。  
図６は、図５に示す矢印ＡＡの方向から、第１の風呂蓋２１及び第２の風呂蓋２２をみた状態を示す。なお、本願明細書の側面図においては、分かり易さのため、縦横比や曲率などが断面図と異なることがある。  
一般に、風呂蓋は、不使用時には重ねて収納される。例えば、第１の風呂蓋２１と第２の風呂蓋２２とは、重ねられ、浴室の壁面Ｗに立て掛けられるようにして収納される。  
例えば、上方に第１、２外側端部２１ｂ、２２ｂが配置され、下方に第１、２突合せ端部２１ａ、２２ａが配置される。これにより、第１の風呂蓋２１と第２の風呂蓋２２とが重なる面積が広くなり、収納しやすい。
【００４５】
浴室の壁面Ｗには、フック７１、７２、７３が固定されている。フック７１、７２は、重ねられた第１の風呂蓋２１及び第２の風呂蓋２２の下方を支持する。フック７３は、重ねられた第１の風呂蓋２１及び第２の風呂蓋２２の上方に配置され、第１の風呂蓋２１及び第２の風呂蓋２２が浴室内へ倒れないように支持する。図６の例では、壁面Ｗと第２の風呂蓋２２との間に、第１の風呂蓋２１が配置され、第２の風呂蓋２２の下面２２Ｌが第１の風呂蓋２１と対向している。
【００４６】
同じ曲率を有する２枚の風呂蓋を重ねた場合には、各風呂蓋の端部同士が、全周にわたって密着したり、各風呂蓋の表面同士が密着したりすることとなる。この場合、重ねられた一方の風呂蓋を他方の風呂蓋から剥がしにくくなる場合がある。また、風呂蓋の端部同士または表面同士が密着することにより、濡れた風呂蓋が乾燥しにくくなり、カビが発生しやすくなる恐れがある。
【００４７】
これに対して、実施形態においては、第１の風呂蓋２１の第１突合せ端部２１ａから第１外側端部２１ｂまでの曲率は、第２の風呂蓋２２の第２突合せ端部２２ａから第２外側端部２２ｂまでの曲率と異なる。このことより、第１の風呂蓋２１と第２の風呂蓋２２を重ねた場合に、第１の風呂蓋２１の端部が、第１の風呂蓋２１の外周全体にわたって第２の風呂蓋２２の端部と密着したり、第１の風呂蓋２１の表面が、第２の風呂蓋２２の表面と密着したりすることを抑制できる。したがって、重ねられた第１の風呂蓋２１と第２の風呂蓋２２とを剥がしやすい。また、第１の風呂蓋２１と第２の風呂蓋２２との間に隙間が生じるため、各風呂蓋が乾燥しやすく、黴の発生等を抑制することができる。
【００４８】
例えば、図６においては、第２の風呂蓋２２は、下面２２Ｌの中央付近の点Ｐ１において第１の風呂蓋２１と接触している。点Ｐ１よりも第１突合せ端部２１ａ側には、風呂蓋間の隙間ＳＰ１が生じる。また、点Ｐ１よりも第１外側端部２１ｂ側には、風呂蓋間の隙間ＳＰ２が生じる。このように、第１の風呂蓋２１と第２の風呂蓋２２との密着が抑制され、重ねられた風呂蓋が剥がしやすく、乾燥しやすい。
【００４９】
なお、第１の風呂蓋２１と第２の風呂蓋２２との密着を抑制するために、第１の風呂蓋２１の向きと、第２の風呂蓋２２の向きとを異ならせる方法も考えられる。すなわち、例えば、第１の風呂蓋２１の長手方向と、第２の風呂蓋２２の長手方向と、が交差（略直交）するように風呂蓋を重ねる。しかし、この方法では、高さのずれが生じるため、収納がしにくくなってしまう。
【００５０】
図７は、実施形態に係る別の風呂蓋の収納状態を例示する側面図である。  
図７は、図６と同様に、重ねて収納された第１の風呂蓋２１及び第２の風呂蓋２２を示す。  
この例では、第１の風呂蓋２１は、第１ストレート部２１ｓを有さず、湾曲している。より具体的には、第１突合せ端部２１ａから第１外側端部２１ｂへ向かう方向に対して平行な断面において、第１の風呂蓋２１（上面２１Ｕ）の第１突合せ端部２１ａから第１外側端部２１ｂまでの断面形状は、１つの円弧で構成され湾曲している。第２の風呂蓋２２の形状は、図６に示した例と同様である。
【００５１】
この場合にも、第１の風呂蓋２１の第１突合せ端部２１ａから第１外側端部２１ｂまでの曲率は、第２の風呂蓋２２の第２突合せ端部２２ａから第２外側端部２２ｂまでの曲率と異なる。このことより、第１の風呂蓋２１と第２の風呂蓋２２との密着が抑制され、重ねられた風呂蓋が剥がしやすく、乾燥しやすい。
【００５２】
ただし、図６に示したように、第１の風呂蓋２１が第１ストレート部２１ｓを有する場合には、第１の風呂蓋２１と第２の風呂蓋２２とを重ねたときに、第１の風呂蓋２１と第２の風呂蓋２２とが密着する部分を小さくすることができる。つまり、図６の例においては、図７の例に比べて、点Ｐ１の周辺領域Ｒ１において、風呂蓋間の距離を確保しやすい。このため、重ねられた風呂蓋がより剥がしやすく、より乾燥しやすい。
【００５３】
図８は、実施形態に係る別の浴槽を例示する断面図である。  
図８は、図１と同様に、リム１３に載置された第１の風呂蓋２１及び第２の風呂蓋２２の断面を示す。  
この例では、第２の風呂蓋２２は、図８に示す断面（第２突合せ端部２２ａから第２外側端部２２ｂへ向かう方向に対して平行な断面）において、直線上に延びる第２ストレート部２２ｓと、湾曲した湾曲部２２ｗと、を有する。第２ストレート部２２ｓは、湾曲部２２ｗから滑らかに段差なく連続している。第２突合せ端部２２ａは、第２ストレート部２２ｓに位置し、第２外側端部２２ｂは、湾曲部２２ｗに位置する。なお、第１の風呂蓋２１の形状は、図１に関して説明した第１の風呂蓋２１と同様であり、湾曲していない。
【００５４】
第２の風呂蓋２２の、第２突合せ端部２２ａから第２外側端部２２ｂへ向かう方向における少なくとも中央Ｃ２は、湾曲部２２ｗである。例えば、第１の風呂蓋２１及び第２の風呂蓋２２がリム１３に載置された状態において、湾曲部２２ｗの前後方向に沿った長さＬ２ｗは、第２ストレート部２２ｓの前後方向に沿った長さＬ２ｓよりも長い。長さＬ２ｗと長さＬ２ｓとの和は、第２の風呂蓋２２の前後方向に沿った長さＬ２２と実質的に等しい。
【００５５】
図９は、実施形態に係る風呂蓋の収納状態を例示する側面図である。  
図９は、図６と同様に、図８に関して説明した第１の風呂蓋２１及び第２の風呂蓋２２が重ねて収納された様子を示す。すなわち、第１の風呂蓋２１は湾曲しておらず、第２の風呂蓋２２は、湾曲部２２ｗと第２ストレート部２２ｓとを有する。
【００５６】
第１の風呂蓋２１と第２の風呂蓋２２とを重ねたときに、第２ストレート部２２ｓが第１の風呂蓋２１に接触すると、第１の風呂蓋２１は湾曲していないため、第１の風呂蓋２１と第２の風呂蓋２２との接触部分が大きくなってしまう恐れある。これに対して、第２の風呂蓋２２の中央Ｃ２が湾曲部２２ｗであることにより、第２の風呂蓋２２は、湾曲部２２ｗ上の点Ｐ２において、第１の風呂蓋２１（第１ストレート部２１ｓ）と接触する。第２ストレート部２２ｓを設けた場合でも、ストレート部同士が接触することを抑制し、第１の風呂蓋２１と第２の風呂蓋２２との接触部分を小さくし、第１の風呂蓋２１と第２の風呂蓋２２とが密着することをより確実に抑制することができる。したがって、風呂蓋を重ねて収納し易くすることができつつも、各風呂蓋をより乾燥しやすくすることができる。
【００５７】
図１０（ａ）〜図１０（ｄ）は、実施形態に係る風呂蓋を例示する側面図である。  
これらは、図８及び図９に関する説明と同様の第１の風呂蓋２１及び第２の風呂蓋２２を示す。すなわち、第１の風呂蓋２１は湾曲しておらず、第２の風呂蓋２２は、湾曲部２２ｗと第２ストレート部２２ｓとを有する。また、破線は、第２ストレート部２２ｓが設けられず、第２の風呂蓋２２の断面形状が１つの円弧で構成された場合を示す。
【００５８】
図１０（ａ）は、第１外側端部２１ｂの位置と第２外側端部２２ｂの位置とが揃えられた状態である。図１０（ａ）に示す距離Ｌ１は、第２ストレート部２２ｓが設けられた場合の、第２突合せ端部２２ａと第１の風呂蓋２１との間の距離である。また、図１０（ａ）に示す距離Ｌ２は、第２ストレート部２２ｓが設けられない場合の、第２突合せ端部２２ａと第１の風呂蓋２１との間の距離である。距離Ｌ１は、距離Ｌ２よりも短い。
【００５９】
このように、第２ストレート部２２ｓを設けることにより、外側端部を揃えるように風呂蓋を重ねた場合に、突合せ端部側の風呂蓋間の距離を短くすることができる。これにより、風呂蓋間の距離を確保し各風呂蓋をより乾燥しやすくすることができつつも、重ねられた風呂蓋の取り回しが容易となり、風呂蓋を重ねて収納し易くすることができる。
【００６０】
例えば、風呂蓋の収納時には、重ねられた第１、２外側端部２１ｂ、２２ｂを、図１０（ｂ）に示すようにフック７３の下方に挿入する。その後、第１、２の風呂蓋２１、２２を回転させるようにして、図１０（ｃ）に示すように、フック７１、７２の上方へ移動させる。そして、第１、２突合せ端部２１ａ、２２ａをフック７１、７２に載置することで、図１０（ｄ）に示すように第１、２の風呂蓋２１、２２が収納される。
【００６１】
この際、突合せ端部側の風呂蓋間の距離が長すぎると、破線で示したように、風呂蓋の突合せ端部と下方のフック７１、７２とが干渉してスムーズな収納が難しくなる場合がある。これに対して、第２の風呂蓋２２が第２ストレート部２２ｓを有することにより、突合せ端部側の風呂蓋間の距離を短くすることができ、収納が容易となる。なお、実施形態において、第１、２の風呂蓋２１、２２の収納には、必ずしもフック７１〜７３が用いられなくてもよい。
【００６２】
図１１は、実施形態に係る別の浴槽を例示する断面図である。  
図１１は、図１と同様に、リム１３に載置された第１の風呂蓋２１及び第２の風呂蓋２２の断面を示す。  
この例では、第１の風呂蓋２１は、図１１に示す断面（第１突合せ端部２１ａから第１外側端部２１ｂへ向かう方向に対して平行な断面）において、直線状に延びる第１ストレート部２１ｓと、湾曲した湾曲部２１ｗと、を有する。湾曲部２１ｗの断面形状（湾曲部２１ｗの上面の断面形状）は、例えば１つの円弧で構成されている。第１ストレート部２１ｓは、湾曲部２１ｗから滑らかに段差なく連続している。第１突合せ端部２１ａは、湾曲部２１ｗに位置し、第１外側端部２１ｂは、第１ストレート部２１ｓに位置する。
【００６３】
第２の風呂蓋２２の形状は、図１に関して説明した第２の風呂蓋２２と同様であり、湾曲部２２ｗを有する。例えば、湾曲部２２ｗの曲率は、湾曲部２１ｗの曲率を同じである。また、第２の風呂蓋２２の、第２突合せ端部２２ａから第２外側端部２２ｂへ向かう方向における少なくとも中央Ｃ２は、湾曲部２２ｗである。
【００６４】
第１の風呂蓋２１の、第１突合せ端部２１ａから第１外側端部２１ｂへ向かう方向における少なくとも中央Ｃ１は、第１ストレート部２１ｓである。例えば、第１の風呂蓋２１及び第２の風呂蓋２２がリム１３に載置された状態において、湾曲部２１ｗの前後方向に沿った長さＬ１ｗは、第１ストレート部２１ｓの前後方向に沿った長さＬ１ｓよりも短い。長さＬ１ｗと長さＬ１ｓとの和は、第１の風呂蓋２１の前後方向に沿った長さＬ２１と実質的に等しい。
【００６５】
図１２は、実施形態に係る風呂蓋の収納状態を例示する側面図である。  
図１２は、図６と同様に、図１１に関して説明した第１の風呂蓋２１及び第２の風呂蓋２２が重ねて収納された様子を示す。  
上述の通り、この例では、第１の風呂蓋２１の中央Ｃ１はストレートであり、第２の風呂蓋２２の中央Ｃ２は湾曲している。これにより、第２の風呂蓋２２は、湾曲部２２ｗ上の点Ｐ３において、第１の風呂蓋２１（第１ストレート部２１ｓ）と接触する。第１の風呂蓋２１と第２の風呂蓋２２との接触部分を小さくし、第１の風呂蓋２１と第２の風呂蓋２２とが密着することをより確実に抑制することができる。したがって、風呂蓋を重ねて収納し易くすることができつつも、各風呂蓋をより乾燥しやすくすることができる。
【００６６】
また、第１の風呂蓋２１が第１ストレート部２１ｓと湾曲部２１ｗとを有することにより、第１ストレート部２１ｓのみの場合に比べて、図１０（ａ）に関する説明と同様に外側端部を揃えて重ねた場合、突合せ端部側の風呂蓋間の距離を短くすることができる。これにより、風呂蓋間の距離を確保し各風呂蓋をより乾燥しやすくすることができつつも、風呂蓋を重ねて収納し易くすることができる。
【００６７】
なお、実施形態に係る第１の風呂蓋２１及び第２の風呂蓋２２は、補強や滑り防止などのために端部等に設けられる部材や、持ち運びのための取っ手や、他の部材（リムなど）と係合するための凹凸などを、適宜有していてもよい。ただし、上述の第１の風呂蓋２１及び第２の風呂蓋２２の曲率や断面形状などは、これらの部材、取っ手、凹凸などを除いた範囲に関するものとする。
【００６８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴槽が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６９】
１０ 浴槽本体、  １１ 底面部、  １２ 側壁部、  １２ａ 後側面、  １２ｂ 前側面、  １２ｃ 右側面、  １２ｄ 左側面、  １３ リム、  １３ａ〜１３ｃ 第１〜第３隆起部、  １３ｄ 棚状部、  １３ｐ 延出部、  １４ 開口部、  ２１ 第１の風呂蓋、  ２１ａ 第１突合せ端部、  ２１ｂ 第１外側端部、  ２１ｃ 右側端部、  ２１ｄ 左側端部、  ２１ｓ 第１ストレート部、  ２１ｗ 湾曲部、  ２２ 第２の風呂蓋、  ２２ａ 第２突合せ端部、  ２２ｂ 第２外側端部、  ２２ｃ 右側端部、  ２２ｄ 左側端部、  ２２ｓ 第２ストレート部、  ２２ｗ 湾曲部、  ７１〜７３ フック
【図１】
2019111080.tif 000003
【図２】
2019111080.tif 000004
【図３】
2019111080.tif 000005
【図４】
2019111080.tif 000006
【図５】
2019111080.tif 000007
【図６】
2019111080.tif 000008
【図７】
2019111080.tif 000009
【図８】
2019111080.tif 000010
【図９】
2019111080.tif 000011
【図１０】
2019111080.tif 000012
【図１１】
2019111080.tif 000013
【図１２】
2019111080.tif 000014